(57)【特許請求の範囲】
【請求項１】
液体を通過させる穴を多数穿孔した支持体（１０）及びこの支持体（１０）の外周面に装着されて形状が略ジグザグ状に折曲されている撓み可能なフィルターエレメント（１１）とで構成されるフィルター本体（３）と、
前記フィルター本体（３）を内部に配置する筐体（２）とを備え、
前記筐体（２）に設けられている流入口（４）から流入した液体が前記フィルター本体（３）にて濾過されて流出口（６）から排出され、前記フィルター本体（３）のフィルターエレメント（１１）の洗浄時には前記流出口（６）から支持体（１０）、フィルターエレメント（１１）へと上記とは逆向きに通水を行なう逆洗浄機能を備えているフィルター装置において、
前記フィルターエレメント（１１）を洗浄する逆洗浄時に、該フィルターエレメント（１１）の略ジグザグ状に折曲されている谷部（１７）を外方に向けて押し出す異物除去補助装置（Ａ）を備えていることを特徴とするフィルター装置。
【請求項２】
前記異物除去補助装置（Ａ）による前記フィルターエレメント（１１）の谷部（１７）の外方への押し出し量は、該谷部（１７）の下部より上部に至るほど大きくしていることを特徴とする請求項１記載のフィルター装置。
【請求項３】
前記異物除去補助装置（Ａ）は、
前記フィルター本体（３）の支持体（１０）の下部に下端が回動自在に軸支されて前記フィルターエレメント（１１）の各谷部（１７）の内面と支持体（１０）の外面との間にそれぞれ配置される複数のバー（２２）と、
前記各バー（２２）の上端と伸縮自在なロッド（２４）の先端が回動自在にそれぞれ連結している複数のシリンダ（２３）とで構成されていることを特徴とする請求項１または請求項２に記載のフィルター装置。
【請求項４】
前記異物除去補助装置（Ａ）は、
前記フィルター本体（３）の支持体（１０）の下部に下端が回動自在に軸支されて前記フィルターエレメント（１１）の各谷部（１７）の内面と支持体（１０）の外面との間にそれぞれ配置される複数のバー（２２）と、
前記各バー（２２）の上端と下端が回動自在にそれぞれ連結されている複数の駆動バー（３３）と、
前記各駆動バー（３３）の上端と伸縮自在なロッド（２４）の先端が回動自在にそれぞれ連結している１台のシリンダ（２３）とで構成されていることを特徴とする請求項１または請求項２に記載のフィルター装置。
【請求項５】
前記フィルターエレメント（１１）の谷部（１７）の上部の外方への押し出し量は、該フィルターエレメント（１１）の折曲部分の山部（１８）と谷部（１７）との間の少なくとも半分程度としていることを特徴とする請求項１〜請求項４のいずれかに記載のフィルター装置。
【請求項６】
前記フィルターエレメント（１１）の谷部（１７）の上部の外方への押し出し量は、谷部（１７）が山部となる反転した状態までとしていることを特徴とする請求項１〜請求項４のいずれかに記載のフィルター装置。
【請求項７】
前記異物除去補助装置（Ａ）による前記フィルターエレメント（１１）の谷部（１７）の外方への押し出し量は、該谷部（１７）の上部と下部とはほぼ同じにしていることを特徴とする請求項１記載のフィルター装置。
【請求項８】
前記異物除去補助装置（Ａ）は、
前記フィルター本体（３）の支持体（１０）の外方に向けて配設されている基台（３７）と、
前記フィルター本体（３）のフィルターエレメント（１１）の各谷部（１７）の内面と支持体（１０）の外面との間にそれぞれ配置されると共に、フィルターエレメント（１１）の下部が前記基台（３７）に対してスライド自在とした複数のバー（２２）と、
前記各バー（２２）の上端と伸縮自在なロッド（２４）の先端とそれぞれ連結している複数のシリンダ（２３）とで構成されていることを特徴とする請求項１または請求項７に記載のフィルター装置。
【請求項９】
前記異物除去補助装置（Ａ）は、
前記フィルター本体（３）の支持体（１０）の外方に向けて配設されている基台（３７）と、
前記フィルター本体（３）のフィルターエレメント（１１）の各谷部（１７）の内面と支持体（１０）の外面との間にそれぞれ配置されると共に、フィルターエレメント（１１）の下部が前記基台（３７）に対してスライド自在とした複数のバー（２２）と、
前記各バー（２２）の上端と下端が回動自在にそれぞれ連結されている複数の駆動バー（３３）と、
前記各駆動バー（３３）の上端と伸縮自在なロッド（２４）の先端が回動自在にそれぞれ連結している１台のシリンダ（２３）とで構成されていることを特徴とする請求項１または請求項７に記載のフィルター装置。
【請求項１０】
前記フィルターエレメント（１１）の谷部（１７）の上部の外方への押し出し量は、該フィルターエレメント（１１）の折曲部分の山部（１８）と谷部（１７）との間の少なくとも半分程度としていることを特徴とする請求項７〜請求項９のいずれかに記載のフィルター装置。
【請求項１１】
前記フィルターエレメント（１１）の谷部（１７）の上部の外方への押し出し量は、谷部（１７）が山部となる反転した状態までとしていることを特徴とする請求項７〜請求項９のいずれかに記載のフィルター装置。
【発明の詳細な説明】
【０００１】
【発明の属する技術分野】
本発明は、液体などの流体の循環経路内に介設して該流体を濾過するフィルター装置に関するものであって、より詳しくは、洗浄水を循環経路内で逆流させてフィルターエレメントにて捕捉した異物を除去する機能を備えたフィルター装置に関するものである。
【０００２】
【従来の技術】
油や水などの液体を濾過するためのフィルター装置は従来より多種にわたって提供されている。フィルター装置のフィルターエレメントを紙材で構成している場合には、異物を所定量捕捉した後に、該フィルターエレメントとこのフィルターエレメントを装着している支持体を廃棄している。異物を所定量捕捉する毎に廃棄していたのでは、環境破壊やコストの面で無理が生じる。
また、フィルター装置の支持体に対してフィルターエレメントを着脱自在にしたのも既に提供されているが、かかる場合にも異物を所定量捕捉するたびにフィルターエレメントを廃棄して新しいフィルターエレメントと交換したり、あるいはフィルターエレメントを支持体から外して洗浄してフィルターエレメントを再度使用したりしている。
【０００３】
そこで、異物を所定量捕捉した場合には、フィルターエレメント等の廃棄や支持体から取り外してフィルターエレメント自体の洗浄をせずに、流体の循環方向とは逆に洗浄水を流してフィルターエレメントの表面に捕捉ないし付着している異物を洗い流す機能を備えたフィルター装置も提供されている。
【０００４】
【発明が解決しようとする課題】
しかしながら上記の逆洗浄方式では、以下に示すような問題を有している。すなわち、フィルターエレメントを紙材や不織布で構成している場合でも、該フィルターエレメントは一般にジグザグ状（プリーツ状）に折曲して構成されているために、逆洗浄方式でフィルターエレメントを洗浄した場合に、比較的大きな異物や表面の異物は洗い落とすことができるものの、フィルターエレメントの谷の部分に捕捉ないし付着している異物はほとんど洗い流すことができない。
【０００５】
そのため、フィルターエレメントの谷の部分に付着している異物を出来るだけ洗い落とそうとすると、長時間にわたって洗浄する必要があり、逆洗浄水が必要以上に多くなり、不経済となる問題がある。また、実際に長時間にわたって逆洗浄方式で洗浄しても、谷の部分に付着している異物、特に微細な粉や粒子はなかなか洗い落とす（除去する）ことが難しいのが現状である。
また、単に逆洗浄方式でフィルターエレメントを洗浄しても、フィルターエレメントの谷の部分には異物が付着した状態で残っているため、運転を再開して液体をフィルターエレメントにて濾過しても、循環経路内の圧力がすぐに上昇して、この圧力上昇により強制的に運転が停止されることになる。
【０００６】
すなわち、フィルターエレメントの谷の部分に付着している異物により循環経路の圧力が上昇して運転が停止されるために、異物を所定量捕捉する前に、再度フィルターエレメントを洗浄しなければならず、次第にフィルターエレメントの洗浄期間のスパンが短くなり、フィルターエレメントの洗浄作業が頻繁に行なわれることになって洗浄作業が煩わしいという問題があった。また、フィルターエレメントの洗浄作業が頻繁に行なわれると、フィルター装置により濾過した液体を用いて行なっている本来の作業の効率を低下させるという問題が生じる。
【０００７】
本発明は上述の問題点に鑑みて提供したものであって、フィルターエレメントの谷の部分に付着している異物を確実に除去することを目的としたフィルター装置を提供するものである。
【０００８】
【課題を解決するための手段】
そこで、本発明の請求項１記載のフィルター装置では、液体を通過させる穴を多数穿孔した支持体１０及びこの支持体１０の外周面に装着されて形状が略ジグザグ状に折曲されている撓み可能なフィルターエレメント１１とで構成されるフィルター本体３と、前記フィルター本体３を内部に配置する筐体２とを備え、前記筐体２に設けられている流入口４から流入した液体が前記フィルター本体３にて濾過されて流出口６から排出され、前記フィルター本体３のフィルターエレメント１１の洗浄時には前記流出口６から支持体１０、フィルターエレメント１１へと上記とは逆向きに通水を行なう逆洗浄機能を備えているフィルター装置において、
前記フィルターエレメント１１を洗浄する逆洗浄時に、該フィルターエレメント１１の略ジグザグ状に折曲されている谷部１７を外方に向けて押し出す異物除去補助装置Ａを備えていることを特徴としている。
【０００９】
かかる構成とすることで、フィルターエレメント１１の谷部１７を物理的に外方に向けて押し出した状態で逆洗浄を行なうので、谷部１７の部分に付着している微細な粉や粒子を確実に除去することができる。また、フィルターエレメント１１の谷部１７に付着している異物２７を逆洗浄で除去する場合には、従来ではフィルターエレメント１１を支持体１０に装着したままの状態で行なっていたので、長い時間と大量の洗浄水を必要としていたが、本発明の異物除去補助装置Ａにより短い時間と少ない洗浄水で可能となり、そのため、廃水処理に伴う経費も節約することができる。また、フィルターエレメント１１の異物２７を確実に除去できるので、洗浄時期のスパンが長くなり、従来頻繁に行なっていたフィルターエレメント１１の洗浄も少なくなり、その分、本来の作業効率を向上させることができる。
【００１０】
請求項２に記載のフィルター装置では、前記異物除去補助装置Ａによる前記フィルターエレメント１１の谷部１７の外方への押し出し量は、該谷部１７の下部より上部に至るほど大きくしていることを特徴としている。
これにより、異物除去補助装置Ａの構成を簡単にできて、フィルターエレメント１１の谷部１７の異物２７を除去することができる。
【００１１】
請求項３に記載のフィルター装置では、前記異物除去補助装置Ａは、前記フィルター本体３の支持体１０の下部に下端が回動自在に軸支されて前記フィルターエレメント１１の各谷部１７の内面と支持体１０の外面との間にそれぞれ配置される複数のバー２２と、前記各バー２２の上端と伸縮自在なロッド２４の先端が回動自在にそれぞれ連結している複数のシリンダ２３とで構成されていることを特徴としている。
【００１２】
かかる構成とすることで、異物除去補助装置Ａの構成を簡単にできて、フィルターエレメント１１の谷部１７の異物２７を除去することができる。
【００１３】
請求項４に記載のフィルター装置では、前記異物除去補助装置Ａは、前記フィルター本体３の支持体１０の下部に下端が回動自在に軸支されて前記フィルターエレメント１１の各谷部１７の内面と支持体１０の外面との間にそれぞれ配置される複数のバー２２と、前記各バー２２の上端と下端が回動自在にそれぞれ連結されている複数の駆動バー３３と、前記各駆動バー３３の上端と伸縮自在なロッド２４の先端が回動自在にそれぞれ連結している１台のシリンダ２３とで構成されていることを特徴としている。
【００１４】
かかる構成とすることで、異物除去補助装置Ａの構成を簡単にできて、フィルターエレメント１１の谷部１７の異物２７を除去することができる上に、シリンダ２３を１台としているので、異物除去補助装置Ａの低コスト化を図ることができる。
【００１５】
請求項５に記載のフィルター装置では、前記フィルターエレメント１１の谷部１７の上部の外方への押し出し量は、該フィルターエレメント１１の折曲部分の山部１８と谷部１７との間の少なくとも半分程度としていることを特徴としている。
これにより、逆洗浄時にフィルターエレメント１１の谷部１７に付着している異物２７を確実に除去することができる。
【００１６】
請求項６に記載のフィルター装置では、前記フィルターエレメント１１の谷部１７の上部の外方への押し出し量は、谷部１７が山部となる反転した状態までとしていることを特徴としている。
これにより、逆洗浄時にフィルターエレメント１１の谷部１７に付着している異物２７を一層確実に除去することができる。
【００１７】
請求項７に記載のフィルター装置では、前記異物除去補助装置Ａによる前記フィルターエレメント１１の谷部１７の外方への押し出し量は、該谷部１７の上部と下部とはほぼ同じにしていることを特徴としている。
これにより、フィルターエレメント１１の谷部１７全体が外方に押し出されるので、逆洗浄時にはフィルターエレメント１１の谷部１７の異物２７を全体にわたって確実に除去することができる。
【００１８】
請求項８に記載のフィルター装置では、前記異物除去補助装置Ａは、前記フィルター本体３の支持体１０の外方に向けて配設されている基台３７と、前記フィルター本体３のフィルターエレメント１１の各谷部１７の内面と支持体１０の外面との間にそれぞれ配置されると共に、フィルターエレメント１１の下部が前記基台３７に対してスライド自在とした複数のバー２２と、前記各バー２２の上端と伸縮自在なロッド２４の先端とそれぞれ連結している複数のシリンダ２３とで構成されていることを特徴としている。
【００１９】
かかる構成とすることで、異物除去補助装置Ａの構成を簡単にできて、フィルターエレメント１１の谷部１７の異物２７を除去することができる。
【００２０】
請求項９に記載のフィルター装置では、前記異物除去補助装置Ａは、前記フィルター本体３の支持体１０の外方に向けて配設されている基台３７と、前記フィルター本体３のフィルターエレメント１１の各谷部１７の内面と支持体１０の外面との間にそれぞれ配置されると共に、フィルターエレメント１１の下部が前記基台３７に対してスライド自在とした複数のバー２２と、前記各バー２２の上端と下端が回動自在にそれぞれ連結されている複数の駆動バー３３と、前記各駆動バー３３の上端と伸縮自在なロッド２４の先端が回動自在にそれぞれ連結している１台のシリンダ２３とで構成されていることを特徴としている。
【００２１】
かかる構成とすることで、異物除去補助装置Ａの構成を簡単にできて、フィルターエレメント１１の谷部１７の異物２７を除去することができる上に、シリンダ２３を１台としているので、異物除去補助装置Ａの低コスト化を図ることができる。
【００２２】
請求項１０に記載のフィルター装置では、前記フィルターエレメント１１の谷部１７の上部の外方への押し出し量は、該フィルターエレメント１１の折曲部分の山部１８と谷部１７との間の少なくとも半分程度としていることを特徴としている。
これにより、逆洗浄時にフィルターエレメント１１の谷部１７に付着している異物２７を確実に除去することができる。
【００２３】
請求項１１に記載のフィルター装置では、前記フィルターエレメント１１の谷部１７の上部の外方への押し出し量は、谷部１７が山部となる反転した状態までとしていることを特徴としている。
これにより、逆洗浄時にフィルターエレメント１１の谷部１７に付着している異物２７を一層確実に除去することができる。
【００２４】
【発明の実施の形態】
（第１の実施の形態）
以下、本発明の第１の実施の形態を図面を参照して詳細に説明する。図１はフィルター装置１の構成図を示し、このフィルター装置１は主に、上面を開口した略円筒状の筐体２と、この筐体２の略中心部分に配設されているフィルター本体３とで構成されている。
【００２５】
上記フィルター本体３は、金属製の支持体１０と、この支持体１０の表面に着脱自在に装着され例えば材料を不織布で構成した撓み可能なフィルターエレメント１１とで構成されている。上記支持体１０は図１及び図２に示すように、周面に多数の穴１２を穿孔した円筒状の円筒体１３と、この円筒体１３の表面に放射状に配設した複数のフィン１４とで構成されている。
支持体１０のフィン１４は、平板状の板材で構成しても良く、また、図１に示すように長方形状のフレーム１５と、該フレーム１５の間に所定間隔毎の架橋した複数の桟１６とで構成するようにしても良い。
【００２６】
なお、フィン１４は図２に示すように８枚だけ設けているが、説明の便宜上かつ図示した場合に分かり易くするために８枚としたものであり、フィン１４の数は、４枚から３２枚、あるいは３２枚以上設けるようにしても良いものである。したがって、フィン１４の数は特に限定されるものではない。
【００２７】
フィルターエレメント１１は図２に示すように、支持体１０の周面に沿ってジグザグ状あるいは波形に折曲されて着脱自在に装着されるようになっており、また、図１に示すように、該フィルターエレメント１１の縦方向の寸法は支持体１０のフィン１４の縦方向の寸法より長く設定している。
【００２８】
上記筐体２の上部には油や水などの液体が流入する流入口４が設けられており、また、支持体１０の円筒体１３の下部には流出用パイプ５の一端が接続されていて、この流出用パイプ５の他端側をフィルター本体３にて濾過された液体が流出される流出口６としている。
すなわち、濾過すべく液体が筐体２の流入口４から入り、筐体２内のフィルター本体３のフィルターエレメント１１→円筒体１３の穴１２→円筒体１３内→流出用パイプ５を介して液体が流れることで、液体内に混入している異物をフィルターエレメント１１で捕捉して液体を濾過しているものである。なお、筐体２の上部にはオーバーフロー排出口７が設けてある。
【００２９】
次に、本発明の要旨である異物除去補助装置Ａの構成について説明する。この異物除去補助装置Ａは、主に、フィルター本体３のフィルターエレメント１１を外方へ直接に物理的に押し出す複数のバー２２と、これらのバー２２をフィルター本体３の半径方向に駆動するためのシリンダ２３等で構成されている。
【００３０】
すなわち、図１に示すように、フィルター本体３の支持体１０の円筒体１３の下部周面であって各フィン１４の間の箇所に支持片２０が一体的に配設されており、この支持片２０に軸２１を介してバー２２の下端部が回動自在に連結されている。このバー２２は図２に示すように、各フィン１４の間であって円筒体１３の長手方向の表面に沿って近接ないし接触して上下方向に立設した状態で配置される。
そして、バー２２の先端は図１に示すようにシリンダ２３の伸縮自在としたロッド２４の先端と軸２５を介して回動自在に連結されている。上記シリンダ２３は、筐体２の上部付近に配置されていて、例えばエアーシリンダを用いている。また、シリンダ２３は油圧シリンダでも良く、さらにはシリンダ２３の代わりに、ロッド２４を横方向に駆動するものであれば正逆転可能なモータを用いるようにしても良い。
【００３１】
上記バー２２は円筒体１３の外表面とフィルターエレメント１１の谷部１７（図２参照）の内面との間に配置されるものであり、フィルターエレメント１１の谷部１７の部分にバー２２が位置している状態となっている。
液体を濾過している通常の状態では、シリンダ２３のロッド２４が突出してバー２２は図１に示すように円筒体１３の表面に沿って真っ直ぐ上方に立設している。そして、後述するようにフィルターエレメント１１で捕捉した異物を除去する場合にはシリンダ２３のロッド２４を縮めることでバー２２を軸２１を支点として図１の二点鎖線で示すように傾斜させ、これにより、フィルターエレメント１１の谷部１７を外方に向けて突出させるようにしている。
【００３２】
次に、フィルター本体３のフィルターエレメント１１で捕捉した異物を上記異物除去補助装置Ａを用いて除去する場合の動作について説明する。円筒体１３及びフィン１４からなる支持体１０の表面にフィルターエレメント１１を装着した場合、図２に示すようにフィルターエレメント１１の谷部１７はフィン１４間のバー２２の部分に対応し、フィルターエレメント１１の山折りしている山部１８はフィン１４の先端面に対応している。
液体をフィルター装置１のフィルター本体３で濾過していくと、図３（ａ）に示すようにフィルターエレメント１１の両側の山部１８と谷部１７とで形成される凹状の捕捉部２６で異物２７が捕捉されていき、所定量の異物２７が捕捉されると循環経路の圧力が上昇して運転が停止される。
【００３３】
この図３（ａ）に示す状態で異物２７の除去作業に入る。先ず、図外の空気源を駆動して多数のシリンダ２３を同時に駆動し、シリンダ２３のロッド２４を縮めることで、図１に示すようにバー２２は軸２１を中心にして外側に向けて倒れていく。なお、図４（ａ）はバー２２を傾斜させる前の横から見た図を示している。
バー２２が更に傾斜していくと図３（ｂ）に示すようにバー２２がフィルターエレメント１１の谷部１７を外側に向かって物理的に押し出していき、さらに、バー２２がロッド２４にて規制される位置まで傾斜すると図３（ｃ）及び図４（ｂ）に示すようにフィルターエレメント１１の谷部１７が外側に最も突出した状態となる。
【００３４】
このように、バー２２によりフィルターエレメント１１の谷部１７が外側に向かって押し出されていくと、フィルターエレメント１１は物理的に撓まされて外側に向かって広がっていくので、バー２２により押し出されていく時点から徐々に異物は落下していく。
【００３５】
ここで、流出口６から洗浄水を円筒体１３の内部→円筒体１３の穴１２→フィルターエレメント１１へと流す逆洗浄方式で、逆洗浄をしながらバー２２を傾斜させても良く、また、図３（ｃ）に示すようにバー２２を最大限傾斜させてから逆洗浄を行なうようにしても良い。逆洗浄した水や異物２７は図１に示す筐体２の下部に設けたスラッジ排出口８から外部へ排出される。
バー２２を傾斜させていくだけで、比較的大きな異物２７は図３（ｂ）及び図４（ｂ）に示すように自重あるいは自重と逆洗浄水により落下していき、容易に異物２７を除去することができる。
【００３６】
また、フィルターエレメント１１の谷部１７に付着していた小さな粒子の異物２７も図３（ｃ）に示すように谷部１７が最も外側に突出して状態で逆洗浄水により除去することができる。特に、通水量または逆洗浄水の圧力により微細な粉や粒子等の付着物（異物２７）は、従来の方法では除去が難しく逆洗浄水が大量に必要となっていたが、本発明の方法ないし手段により、微細な粉や粒子も容易に且つ短時間でフィルターエレメント１１から除去することができる。
したがって、逆洗浄に必要な洗浄水は従来と比べて大幅に少なくすることができて、廃水処理にかかる費用も安価にすることができる。そのため、フィルターエレメント１１の洗浄時の経費を節約することができる。
【００３７】
このようにしてバー２２を傾けてフィルターエレメント１１の谷部１７を外側へ突出させて逆洗浄を行なうことで、谷部１７に付着していた微細な粉や粒子を確実に除去することができ、逆洗浄後のフィルターエレメント１１は、ほぼ新しいフィルターエレメント１１と変わりがないまで異物２７を除去した状態となる。そのため、再度液体を濾過していっても、循環経路内の圧力もすぐには上昇しないので、長期間にわたって濾過運転を継続することができる。
また、フィルターエレメント１１の次回の洗浄時期も遅くなり、そのため、洗浄時期のスパンが長くなって、従来頻繁に行なっていたフィルターエレメント１１の洗浄も少なくなり、その分、本来の作業効率を向上させることができる。
【００３８】
なお、バー２２は該バー２２の下部を支点として傾斜させていたので、フィルターエレメント１１の下部は、あまり外側に突出しないものの、フィルターエレメント１１の谷部１７の下部は、ある程度物理的に且つ強制的に動かされる（撓まされる）ので、かなりの異物２７を逆洗浄にて洗い落とすことができる。
このように、異物除去補助装置Ａによるフィルターエレメント１１の谷部１７の上部の外方への押し出し量を谷部１７の下部より上部に至るほど大きくしているので、異物除去補助装置Ａの構成を簡単にでき、上述したように谷部１７の上部はもちろん下部に付着している異物２７も除去することができる。
【００３９】
ところで、先の実施形態では、図３（ｃ）に示すようにフィルターエレメント１１の谷部１７を該谷部１７と山部１８とを反転させたような状態となる最大限外側に突出させるようにバー２２を傾斜させるようにしていたが、図５（ａ）に示すように、バー２２の上部の傾斜をフィン１４の突出量と同程度としても良い。また、図５（ｂ）に示すように、バー２２の上部の傾斜をフィン１４の突出寸法の略半分程度としても良い。
つまり、フィルターエレメント１１の谷部１７の外方への押し出し量を、フィルターエレメント１１の折曲部分の山部１８と谷部１７との間の約半分程度としたり、あるいは、谷部１７が隣り合う山部１８の部分までとしても良いものである。かかる場合でも、逆洗浄時にフィルターエレメント１１の谷部１７に付着している異物２７を確実に除去することができるものである。
【００４０】
（第２の実施の形態）
次に、異物除去補助装置Ａの第２の実施形態を図６及び図７により説明する。先の実施形態ではフィルターエレメント１１の谷部１７の数に応じてバー２２とシリンダ２３をそれぞれ設けていたが、本実施形態ではシリンダ２３を１つにしたものである。
【００４１】
すなわち、伸縮自在なロッド２４を下方に向けてシリンダ２３を支持体１０の上方に配置固定し、ロッド２４の先端に連結部３０を設け、さらにこの連結部３０の周面に接続片３１をバー２２の数に応じて一体的に設けている。この接続片３１に軸３２を介して駆動バー３３の先端が回動自在に連結されており、さらに、この駆動バー３３の下部は軸３４を介してバー２２の先端と回動自在に連結されている。
なお、バー２２のフィルターエレメント１１と円筒体１３との配置構成や、バー２２の下部の支持構成は先に実施形態と同様なので説明は省略する。
【００４２】
フィルター本体３のフィルターエレメント１１で液体を濾過している場合は、シリンダ２３のロッド２４が縮んでいるため、バー２２は先の実施形態と同様に円筒体１３の表面に沿って立設している。フィルターエレメント１１を逆洗浄する場合に、シリンダ２３を駆動してロッド２４を突出させる。
シリンダ２３のロッド２４が矢印に示すように突出すると、ロッド２４と共に連結部３０が下方に駆動され、これに伴い駆動バー３３は下方に付勢される。駆動バー３３が下方に付勢されると、駆動バー３３の下部が外側に広がっていく。そのため、駆動バー３３とバー２２とは軸３４を介して回動自在に連結されているので、駆動バー３３がバー２２を軸２１を支点としてバー２２を外側へ傾斜させるように駆動することになる。
【００４３】
バー２２が外側に倒れていくことで、フィルターエレメント１１の谷部１７は外側に向かって物理的に撓まされて押し出されていき、先の実施形態と同様に逆洗浄を行なう。もちろん、バー２２の傾斜角度は任意に設定しても良いものである。
この実施形態においても、先の実施形態と同様の効果を奏するものであるが、本実施形態では先の実施形態の効果に加えて、シリンダ２３の数をバー２２の数に応じて設けていた先の実施形態とは異なり、シリンダ２３を１つとしているので、異物除去補助装置Ａの構成を簡素化できて、異物除去補助装置Ａを低コストで構成することができる。
【００４４】
（第３の実施の形態）
図８は異物除去補助装置Ａの第３の実施形態を示し、この実施形態では、バー２２全体を外側に向かってスライド自在としたものである。先の第１、第２の実施形態ではバー２２の下部の傾きは上部と比べて大きくなく、そのため、フィルターエレメント１１の谷部１７の外側への押し出し量が少なくなって、谷部１７に付着している異物２７を除去できる量が少なくなる可能性がある。
そこで、本実施形態ではフィルターエレメント１１の谷部１７の下部も上部と同様に外側に押し出すようにしたものである。
【００４５】
すなわち、図８に示すように、バー２２の上部にシリンダ２３のロッド２４と接続する接続バー３５を一体的に設けると共に、バー２２の下部にスライドバー３６を一体的に設けている。そして、支持体１０の円筒体１３の表面よりバー状の基台３７を外方に向けて一体的に突設し、この基台３７の上面にバー２２のスライドバー３６がスライド自在に配置されている。
なお、この実施形態では、図８に示すようにバー２２の数に応じてそれぞれ基台３７やシリンダ２３等を設けている場合を示している。
【００４６】
図８に示す実施形態では、フィルターエレメント１１の谷部１７を上下方向全体にわたって外側に物理的に押し広げるために、フィルターエレメント１１の谷部１７の下部も上部と同様に谷部１７に付着している微細な粉や粒子を逆洗浄により確実に除去することができる。
【００４７】
なお、バー２２の外方へのスライド量は、図８に示すようにフィルターエレメント１１の谷部１７が突出可能な最大量としても良く、また、フィン１４の突出寸法と同程度としたり、フィン１４の突出量の半分程度としても良い。
この場合でも、逆洗浄時にフィルターエレメント１１の谷部１７に付着している異物２７を確実に除去することができる。
【００４８】
（第４の実施の形態）
図９は第４の実施形態を示し、図６に示す場合と同様にシリンダ２３を１つとした場合の構成図を示している。図６に示す機能と同一の機能を発揮する要素には同一の番号を付している。図９に示すように、図８の場合と同様に各バー２２の下部にはスライドバー３６を一体的に設け、このスライドバー３６は基台３７の上面を外方に向けてスライド可能となっている。
【００４９】
バー２２の上部は軸３４を介して駆動バー３３の下部を回動自在に連結されており、フィルターエレメント１１を洗浄する逆洗浄時には、シリンダ２３が駆動されてロッド２４が下方へ突出する。ロッド２４が下方に突出すると、各駆動バー３３は下方へ付勢されながら拡開する。駆動バー３３が拡開すると各バー２２は外方に向けて押し出されていき、これに伴いフィルターエレメント１１の谷部１７は外方へ押し出される。
【００５０】
これにより、フィルターエレメント１１の谷部１７に付着している微細な粉や粒子は確実に除去されることになる。また、本実施形態では、フィルターエレメント１１の谷部１７は上下全体にわたって外方へ押し出されるので、第１の実施形態と比べて一層谷部１７に付着している異物２７を除去することができる。
また、シリンダ２３は１台のみ用いているので、各バー２２に取り付けている場合と比べて異物除去補助装置Ａ全体の構成を簡素化でき、非常に低コスト化を図ることができる。
【００５１】
（第５の実施の形態）
次に、異物除去補助装置Ａの第５の実施形態を図１０〜図１８により説明する。この実施形態は先の実施形態と基本的には同様であるが、フィルター本体３の支持体１０の形状が若干異なり、支持体１０を図１０及び図１１に示すように、１枚のステンレス製の板材をジグザグ状ないしプリーツ状に折曲して形成したものである。この支持体１０には液体を通過させるための穴４０が多数穿孔されている。
また、例えば不織布からなるフィルターエレメント１１は支持体１０の形状に合わせてジグザグ状ないしプリーツ状に折曲して形成されており、フィルターエレメント１１は支持体１０に対して着脱自在に装着されるようになっている。
【００５２】
また、支持体１０の中心部分には図１０〜図１２に示すように金属製、例えば、ステンレス製で形成された円筒状の内管４１が配置されるようになっており、この内管４１の周面全体にわたって液体を通過させるための穴４２が多数穿孔されている。
【００５３】
この実施形態においてもフィルターエレメント１１の逆洗浄の際に、フィルターエレメント１１の谷部１７を外方へ押し出すためのバー２２が図１３及び図１４に示すように支持体１０の外面とフィルターエレメント１１の谷部１７の内面との間に配置されている。
図１３及び図１４はバー２２の支持構造を示しており、支持体１０の隣り合う側板１０ａの奥部に軸４３を挿通し、この軸４３にバー２２の下部を挿通して軸４３により該バー２２を回動自在に軸支すると共に、軸４３の両端はナットなどの留め具４４にて軸４３を支持体１０側に固定している。これにより、バー２２は図１４に示すように軸４３を支点として回動自在となり、フィルターエレメント１１の谷部１７を外方に押し出すことが出来るようになっている。
【００５４】
図１２はフィルター装置１の構成図を示し、図１と同じ機能を発揮する要素には同一の番号を付している。このフィルター装置１により液体を濾過する場合には、流入口４から液体が流入し、フィルターエレメント１１→支持体１０の穴４０→支持体１０の内面と内管４１の外面との間の部分→内管４１の穴４２→内管４１の内部→流出口６へと流れてフィルターエレメント１１により液体が濾過される。
また、フィルターエレメント１１を洗浄する場合の逆洗浄は、上記とは逆の方向に洗浄水が流れて、洗浄後の廃水はスラッジ排出口８から排出される。
【００５５】
異物除去補助装置Ａの構成は図１２に示すように、先の実施形態で示した図６及び図７に示す構成と同じとしている。図１５はフィルター本体３による通常の濾過を行なう場合の状態を示しており、バー２２は支持体１０の外面とフィルターエレメント１１の谷部１７の内面との間に立設している状態である。
フィルター本体３のフィルターエレメント１１を洗浄する場合には、図１６に示すようにシリンダ２３を駆動してロッド２４を突出させ、このロッド２４の突出により連結部３０が下方に駆動される。連結部３０が下方に駆動されると駆動バー３３が外方へ押し広げられる。
【００５６】
駆動バー３３が外方へ押し広げられると、駆動バー３３と回動自在に連結されているバー２２は図１６〜図１８に示すように軸４３を支点として外方へ回動し、このバー２２の外方へ傾かされることで、バー２２がフィルターエレメント１１の谷部１７を外方へ押し出すことになる。
フィルターエレメント１１の谷部１７が外方へ押し出されると、比較的大きな異物２７は自重により落下し、また、逆洗浄の洗浄水によりフィルターエレメント１１の谷部１７に付着している微細な粉や粒子（含微粒子）は通水や圧力により確実に除去される。
【００５７】
なお、フィルターエレメント１１を逆洗浄による洗浄を行なう場合、洗浄水を通水させながらシリンダ２３を駆動してバー２２を傾斜させてフィルターエレメント１１の谷部１７を外方へ押し出すようにして洗浄しても良く、また、バー２２によりフィルターエレメント１１の谷部１７を外方へ押し出してから逆洗浄による洗浄水を通水して洗浄するようにしても良い。
【００５８】
また、本実施形態における異物除去補助装置Ａの他の構成としては、図１及び図２に示すように、バー２２ごとにシリンダ２３を設けるようにしても良い。また、バー２２を軸４３を支点として傾斜させて異物２７を除去するようにしていたが、図８や図９に示すように、バー２２全体を外方へスライドさせてフィルターエレメント１１の谷部１７全体を外方へ押し広げて異物２７を除去する構成としても良い。この場合には、フィルターエレメント１１の谷部１７全体が外方に物理的に押し出されるので、逆洗浄時には異物２７を一層確実に除去することができる。また、図９に示すような構成として、シリンダ２３を１台とすることで、異物除去補助装置Ａの構成を簡素化でき、低コストを図ることができる。
【００５９】
また、この第５の実施の形態においても、図５に示すように、バー２２によるフィルターエレメント１１の谷部１７の押し出し量を図５に示すように、山部１８と谷部１７との中間部分までや、隣り合う山部１８付近までとしても良い。かかる場合にもフィルターエレメント１１の谷部１７の異物２７を除去することができる。もちろん、谷部１７が山部１８と反転するように位置まで押し出して逆洗浄を行なう方が好適例である。
【００６０】
なお、上記の各実施形態において、油や水などの液体を濾過する濾過材としてのフィルターエレメント１１の材料を不織布として説明していたが、バー２２によりフィルターエレメント１１の谷部１７を外方へ押し出すことができる程度の撓み可能な材料であれば、例えば紙材を用いるようにしても良い。
【００６１】
また、フィルターエレメント１１の外殻形状は、支持体１０の形状に合わせて略ジグザグ状ないしプリーツ状となっており、また、全体としては、略円筒状となっている。そして、上記各実施形態において、フィルターエレメント１１の縦方向の長さを支持体１０の縦方向の長さより長くし、図６及び図１２に示す実施形態では、円筒状の状態でフィルターエレメント１１を支持体１０に上方から装着するようにしても良い。
【００６２】
また、支持体１０へ装着する前のフィルターエレメント１１の形状をシート状にしておき、このシート状のフィルターエレメント１１を支持体１０の側方から装着し、両端を留めることでフィルターエレメント１１を支持体１０に着脱自在に装着するようにしても良い。
【００６３】
さらに、上記各実施形態において、上記の種々の方法でフィルターエレメント１１を支持体１０に装着した後は、支持体１０の下方に位置するフィルターエレメント１１の下部を紐でくくって支持体１０の下面をフィルターエレメント１１の下部で覆うようにして、液体の濾過漏れを防ぐようにしている。
また、本フィルター装置１は外圧方式、つまり、フィルターエレメント１１の表面から支持体１０側に圧力がかかる方式なので、濾過運転中はフィルターエレメント１１が支持体１０から容易に脱落することはない。そのため、フィルターエレメント１１の上部は、そのまま開放していても良く、また、下部の場合と同様に、フィルターエレメント１１の上部を紐でくくっておいても良い。
【００６４】
上記各実施形態において、逆洗浄中はバー２２によりフィルターエレメント１１の谷部１７が外方へ押し出されるので、洗浄終了後にシリンダ２３を駆動してロッド２４を突出させてバー２２を元の状態に立設させた場合、フィルターエレメント１１の谷部１７が元の状態に戻らない場合がある。その場合には、作業者が手でフィルターエレメント１１の谷部１７が元の状態に復帰するように谷部１７を支持体１０側に押し、フィルターエレメント１１の谷部１７を元の状態に復帰させる。
また、逆洗浄において、、異物除去補助装置Ａによりバー２２を外方へ駆動して、フィルターエレメント１１の谷部１７を外方へ押し出す場合に、フィルターエレメント１１が撓み可能なため山部１８もそれに伴って外方へ押し出される場合も考えられる。この場合、フィルターエレメント１１の上部あるいは全体が略円筒状になるが、本発明は谷部１７に付着している落としにくい異物２７を除去することを要旨としているので、フィルターエレメント１１の山部１８ば外方へ押し出されても、特に問題はない。フィルターエレメント１１の洗浄後に上述のようにフィルターエレメント１１を支持体１０の形状に合わせるように装着することになる。
【００６５】
また、先の各実施の形態では、液体を、油や水としていたが、液体であればどのような液体でも良い。
さらに、フィルター装置１や、このフィルター装置１内で使用されるフィルター本体３の大きさは特に限定されるものではないが、フィルター本体３を人がかろうじて持てるくらいの大きさから、それ以上の大きさの場合には本発明の異物除去補助装置Ａは好適例である。
【００６６】
さらに、上記各実施形態において、支持体１０をステンレスなどの金属製としていたが、合成樹脂製で構成するようにしても良い。
【００６７】
また、図８及び図９において、バー２２のスライドバー３６を基台３７の上面に単にスライド自在に配置しているが、スライドバー３６と基台３７との関係をレールの如く凹凸関係とし、スライドバー３６と基台３７とをスライドし易い合成樹脂で構成するようにしても良いのは勿論である。
【００６８】
【発明の効果】
本発明の請求項１記載のフィルターエレメントの谷部を物理的に外方に向けて押し出した状態で逆洗浄を行なうので、谷部の部分に付着している微細な粉や粒子を確実に除去することができる。また、フィルターエレメントの谷部に付着している異物を逆洗浄で除去する場合には、従来ではフィルターエレメントを支持体に装着したままの状態で行なっていたので、長い時間と大量の洗浄水を必要としていたが、本発明の異物除去補助装置により短い時間と少ない洗浄水で可能となり、そのため、廃水処理に伴う経費も節約することができる。また、フィルターエレメントの異物を確実に除去できるので、洗浄時期のスパンが長くなり、従来頻繁に行なっていたフィルターエレメントの洗浄も少なくなり、その分、本来の作業効率を向上させることができる。
【００６９】
請求項２に記載のフィルター装置によれば、前記異物除去補助装置による前記フィルターエレメントの谷部の外方への押し出し量は、該谷部の下部より上部に至るほど大きくしているので、異物除去補助装置の構成を簡単にできて、フィルターエレメントの谷部の異物を除去することができる。
【００７０】
請求項３に記載のフィルター装置によれば、前記異物除去補助装置は、前記フィルター本体の支持体の下部に下端が回動自在に軸支されて前記フィルターエレメントの各谷部の内面と支持体の外面との間にそれぞれ配置される複数のバーと、前記各バーの上端と伸縮自在なロッドの先端が回動自在にそれぞれ連結している複数のシリンダとで構成されているので、異物除去補助装置の構成を簡単にできて、フィルターエレメントの谷部の異物を除去することができる。
【００７１】
請求項４に記載のフィルター装置によれば、前記異物除去補助装置は、前記フィルター本体の支持体の下部に下端が回動自在に軸支されて前記フィルターエレメントの各谷部の内面と支持体の外面との間にそれぞれ配置される複数のバーと、前記各バーの上端と下端が回動自在にそれぞれ連結されている複数の駆動バーと、前記各駆動バーの上端と伸縮自在なロッドの先端が回動自在にそれぞれ連結している１台のシリンダとで構成されているので、異物除去補助装置の構成を簡単にできて、フィルターエレメントの谷部の異物を除去することができる上に、シリンダを１台としているので、異物除去補助装置の低コスト化を図ることができる。
【００７２】
請求項５に記載のフィルター装置によれば、前記フィルターエレメントの谷部の上部の外方への押し出し量は、該フィルターエレメントの折曲部分の山部と谷部との間の少なくとも半分程度としているので、逆洗浄時にフィルターエレメントの谷部に付着している異物を確実に除去することができる。
【００７３】
請求項６に記載のフィルター装置によれば、前記フィルターエレメントの谷部の上部の外方への押し出し量は、谷部が山部となる反転した状態までとしているので、逆洗浄時にフィルターエレメントの谷部に付着している異物を一層確実に除去することができる。
【００７４】
請求項７に記載のフィルター装置によれば、前記異物除去補助装置による前記フィルターエレメントの谷部の外方への押し出し量は、該谷部の上部と下部とはほぼ同じにしているので、フィルターエレメントの谷部全体が外方に押し出されるので、逆洗浄時にはフィルターエレメントの谷部の異物を全体にわたって確実に除去することができる。
【００７５】
請求項８に記載のフィルター装置によれば、前記異物除去補助装置は、前記フィルター本体の支持体の外方に向けて配設されている基台と、前記フィルター本体のフィルターエレメントの各谷部の内面と支持体の外面との間にそれぞれ配置されると共に、フィルターエレメントの下部が前記基台に対してスライド自在とした複数のバーと、前記各バーの上端と伸縮自在なロッドの先端とそれぞれ連結している複数のシリンダとで構成されているので、異物除去補助装置の構成を簡単にできて、フィルターエレメントの谷部の異物を除去することができる。
【００７６】
請求項９に記載のフィルター装置によれば、前記異物除去補助装置は、前記フィルター本体の支持体の外方に向けて配設されている基台と、前記フィルター本体のフィルターエレメントの各谷部の内面と支持体の外面との間にそれぞれ配置されると共に、フィルターエレメントの下部が前記基台に対してスライド自在とした複数のバーと、前記各バーの上端と下端が回動自在にそれぞれ連結されている複数の駆動バーと、前記各駆動バーの上端と伸縮自在なロッドの先端が回動自在にそれぞれ連結している１台のシリンダとで構成されているので、異物除去補助装置の構成を簡単にできて、フィルターエレメントの谷部の異物を除去することができる上に、シリンダを１台としているので、異物除去補助装置の低コスト化を図ることができる。
【００７７】
請求項１０に記載のフィルター装置によれば、前記フィルターエレメントの谷部の上部の外方への押し出し量は、該フィルターエレメントの折曲部分の山部と谷部との間の少なくとも半分程度としているので、逆洗浄時にフィルターエレメントの谷部に付着している異物を確実に除去することができる。
【００７８】
請求項１１に記載のフィルター装置によれば、前記フィルターエレメントの谷部の上部の外方への押し出し量は、谷部が山部となる反転した状態までとしているので、逆洗浄時にフィルターエレメントの谷部に付着している異物を一層確実に除去することができる。
【図面の簡単な説明】
【図１】本発明の第１の実施の形態におけるフィルター装置の構成図である。
【図２】本発明の第１の実施の形態におけるフィルター装置を上から見た場合の構成図である。
【図３】（ａ）〜（ｃ）は本発明の第１の実施の形態における異物除去補助装置を用いてフィルターエレメントを逆洗浄する場合の説明図である。
【図４】（ａ）（ｂ）は本発明の第１の実施の形態における異物除去補助装置を用いてフィルターエレメントを逆洗浄する場合の説明図である。
【図５】（ａ）（ｂ）は本発明の第１の実施の形態における異物除去補助装置を用いてフィルターエレメントを逆洗浄する場合のバーの傾斜角度の他の例を示す説明図である。
【図６】本発明の第２の実施の形態における異物除去補助装置の構成図である。
【図７】本発明の第２の実施の形態における異物除去補助装置を上から見た場合の構成図である。
【図８】本発明の第３の実施の形態における異物除去補助装置の構成図である。
【図９】本発明の第４の実施の形態における異物除去補助装置の構成図である。
【図１０】本発明の第５の実施の形態におけるフィルター本体の分解斜視図である。
【図１１】本発明の第５の実施の形態におけるフィルター本体の平面図である。
【図１２】本発明の第５の実施の形態におけるフィルター装置の構成図である。
【図１３】本発明の第５の実施の形態における支持体へのバーの支持構造を示す図である。
【図１４】本発明の第５の実施の形態における動作説明図である。
【図１５】本発明の第５の実施の形態における異物除去補助装置を示す図である。
【図１６】本発明の第５の実施の形態における異物除去補助装置によりバーを傾斜させてフィルターエレメントの谷部を外方へ押し出す場合の動作説明図である。
【図１７】本発明の第５の実施の形態における異物除去補助装置によりバーを傾斜させてフィルターエレメントの谷部を外方へ押し出す場合の概略要部斜視図である。
【図１８】（ａ）（ｂ）は本発明の第５の実施の形態における逆洗浄にて異物を除去するの動作説明図である。
【符号の説明】
１  フィルター装置
２  筐体
３  フィルター本体
４  流入口
６  流出口
１０  支持体
１１  フィルターエレメント
１７  谷部
１８  山部
２２  バー
２３  シリンダ
２４  ロッド
３３  駆動バー
３７  基台
【図１】
0003668217.tif 000002
【図２】
0003668217.tif 000003
【図３】
0003668217.tif 000004
【図４】
0003668217.tif 000005
【図５】
0003668217.tif 000006
【図６】
0003668217.tif 000007
【図７】
0003668217.tif 000008
【図８】
0003668217.tif 000009
【図９】
0003668217.tif 000010
【図１０】
0003668217.tif 000011
【図１１】
0003668217.tif 000012
【図１２】
0003668217.tif 000013
【図１３】
0003668217.tif 000014
【図１４】
0003668217.tif 000015
【図１５】
0003668217.tif 000016
【図１６】
0003668217.tif 000017
【図１７】
0003668217.tif 000018
【図１８】
0003668217.tif 000019